(57)【特許請求の範囲】
【請求項１】
シリンダー錠の内筒の外端部にこれと一体に回動可能に装着され、外方に向けて鍵孔の厚さ方向及び幅方向に拡開する案内面を内筒の回動軸線方向に沿って設けたキーガイドカバーと、このキーガイドカバーの内筒の外端面に近接する部分に、鍵孔の幅方向に移動可能に案内され、前端の平面が相互に近接する方向に付勢されると共に、外方に向けて鍵孔の幅方向に広がる斜面を形成した一対のスライダーとを有し、このスライダに外力が作用しない常態において、上記鍵孔の幅方向に広がる斜面が上記キーガイドカバーの幅方向に拡開する案内面と滑らかに接続するように各スライダの前方へ向かうストロークを制限する一方、合鍵のショルダーがスライダーの斜面に突き当たったとき、各スライダが移動してショルダーの通過を許容するようにしたことを特徴とするキーガイド。
【請求項２】
キーガイドカバー及びスライダーが蓄光性材料からなることを特徴とする請求項１記載のキーガイド。
【請求項３】
キーガイドカバーは前方側に位置する表層と、後方側に位置する基層とからなり、表層は蓄光性成分を含有する高分子材料で形成してあることを特徴とする請求項１記載のキーガイド。
【発明の詳細な説明】
【０００１】
【発明の属する技術分野】
この発明は、目や手先の動きが不自由な人でも、シリンダー錠の鍵孔に鍵を容易に差し込むことができるようにしたキーガイドに関する。
【０００２】
【従来の技術】
建築物の扉等には一般にはシリンダー錠が取り付けられているが、シリンダー錠の鍵孔と鍵とのクリアランスが小さいため、施解錠時、鍵と鍵孔との中心をお互いに正確に合わせてから、鍵を挿入する必要がある。
【０００３】
【発明が解決しようとする課題】
しかしながら、鍵及び鍵孔は寸法的に非常に小さいので、目や手先の不自由な人には鍵と鍵孔の中心を正確に合わせることが非常に難しく、特に、近来において高齢者が増加している社会状況においては、高齢者対策の一環としてシリンダー錠においても、使用し易い環境を整えることが要請されている。
【０００４】
また、夜や夕方、或いは暗い屋内において鍵孔部分の照明が不十分な場合には、鍵を鍵孔に挿入する操作が困難であることは多くの人が経験するところである。
【０００５】
そこで、この発明は、目や手先の不自由な高齢者や身体障害者でも、或いは夜等暗いときにも、シリンダー錠を容易に施解錠できるようにすることを目的として提案されたものである。
【０００６】
【課題を解決するための手段】
上記の目的を達成するため、請求項１に記載に発明は、シリンダー錠の内筒の外端部にこれと一体に回動可能に装着され、外方に向けて鍵孔の厚さ方向及び幅方向に拡開する案内面を内筒の回動軸線方向に沿って設けたキーガイドカバーと、このキーガイドカバーの内筒の外端面に近接する部分に、鍵孔の幅方向に移動可能に案内され、前端の平面が相互に近接する方向に付勢されると共に、外方に向けて鍵孔の幅方向に広がる斜面を形成した一対のスライダーとを有し、このスライダに外力が作用しない常態において、上記鍵孔の幅方向に広がる斜面が上記キーガイドカバーの幅方向に拡開する案内面と滑らかに接続するように各スライダの前方へ向かうストロークを制限する一方、合鍵のショルダーがスライダーの斜面に突き当たったとき、各スライダが移動してショルダーの通過を許容するようにしたことを特徴とする。
【０００７】
また、請求項２に記載の発明は、キーガイドカバー及びスライダーを蓄光性材料で構成したことを特徴とする。
【０００８】
更にまた、請求項３に記載の発明は、キーガイドカバーを前方側に位置する表層と後方側に位置する基層とに分割し、表層は蓄光性成分を含有する高分子材料で形成してあることを特徴とする。
【０００９】
【発明の実施の形態】
以下、図面に示す実施例に基いてこの発明について説明する。
図１はシリンダー錠において使用されている鍵１０の一般的な構造の平面図を示し、この鍵１０は、鍵としての機能を持ったステム１１と摘み１２とから構成され、ステムの先端は左右の斜面から成る尖り部１１ａとなっており、また、ステムの基部にはショルダー１１ｂが形成されている。
【００１０】
ちなみに、鍵先の尖り部１１ａはシリンダー錠の内筒内に列設されたタンブラーを楔作用により押し上げて、各タンブラーの係合部を鍵のステムに形成されたＶ字形の鍵溝の底に係合させるものである。
【００１１】
鍵を鍵孔に挿入するには、指先で摘み１２を保持し、尖り部１１ａを鍵孔の中心に合わせて挿入し、ショルダー１１ｂをシリンダー錠の内筒の外端面２２ａに突当てる。
【００１２】
そしてその後、鍵１０を時計方向或は反時計方向に回動させて施解錠を行うようになっている。
【００１３】
上記は一般的なシリンダー錠用の鍵の構造であるが、例外的には、ステム先端が尖っておらず、平面になっているものもある。
【００１４】
一方、図２において符号３１は筒状のシリンダー錠の取付け具を示し、この取付け具３１は扉３０の内部に設置された錠箱（図示せず）に固定され、その内側にはシリンダー錠２０が保持されている。
【００１５】
周知のように、シリンダ錠２０は外筒２１と内筒２２とから構成されており、図示の実施例では、内筒２２は外筒２１の外端面より前方（外方：左方）に突出している。
【００１６】
ちなみに、図２において符号２３はシリンダー錠の鍵の幅方向の内面を示し、図３において符号２４は鍵孔の厚さ方向の内面を示している。
【００１７】
上記取付け具３１の外側には、前端にフランジ４１ａを有する外側スリーブ４１が例えばかしめにより固定され、更に外側スリープ４１の内側には後端にフランジ４２ａを有する内側スリーブ４２がこれもかしめ等により固定されている。
【００１８】
上記外側スリープ４１の前端のフランジ４１ａと内側スリーブ４２の後端のフランジ４２ａとの間には、これらに挟まれるようにして、キーガイドカバー４０がシリンダー錠の内筒２２と一体に回動可能に装着されている。
【００１９】
図示の実施例では、キーガイドカバー４０の後部にその母線方向に沿って形成された突条又は溝が、内筒２２の先端部に形成された溝又は突条に係合することにより、これらキーガイドカバー４０と内筒２２とは相互回動拘束された状態で連結されている。
【００２０】
上記した構造により、内筒２２が鍵により回動されるとき、キーガイドカバー４０は外側スリーブのフランジ４１ａの内面と内側スリーブ４２の内面との間で滑りながら、内筒２２とともに回動する構造となっている。
【００２１】
なお、図２、図３において、符号３２は取付け具３１を覆い外観を優美に見せるための化粧リングを示す。
【００２２】
キーガイドカバー４０は、図２乃至図５に示すように、外方に向けて拡開された角錘状の案内面４０ａの内方に角柱状の案内面４０ｂが段差なく接続された案内面を有し、角柱状の案内面４０（図２）ｂは、その厚さ方向の寸法４０ｄ（図３）が鍵孔の厚さ方向の寸法２４よりもやや大きく、一方、その幅方向の寸法４０ｅ（図２）が鍵１０のショルダーの幅１４よりもやや大きい寸法となっている。
【００２３】
また、図２及び図４に示すように、キーガイドカバー４０の角柱状の案内面４０ｂの幅方向の両側にはガイド溝４０ｃが形成されており、このガイド溝内には左右方向に移動可能に一対のスライダー４３、４３が収納案内されている。
【００２４】
上記スライダー４３は横断面が矩形状となっており、その縦横の長さはガイド溝４０ｃの横断面の縦横の内面間の寸法よりもわずかに小さく、したがってガイド溝４０ｃ内において左右方向にスムースに滑動するように嵌装されている。
【００２５】
また、ガイド溝４０ｃはカバープレート４０の外周に向けて開放されており、この部分にはプラグ４４がねじ４４ａにより螺着されている。
【００２６】
スライダー４３の外端面には突起状のスプリングシート４３ｃ（図５参照）が突設され、一方プラグ４４の内面にも突起状のスプリングシート４４ｂが形成されている。
【００２７】
そして、これらのスプリングシート間には例えば圧縮コイルばねとしてのスプリング４５、４５が弾装され、これらスプリング４５、４５の弾力により一対のスライダー４３、４３は相互に近接するように付勢されている。
【００２８】
また、図５に示すように、スライダー４３の側面内端部にはピン４３ｄが植設されており、このピンがガイド溝４０ｃの外方にガイド溝と平行に形成されたスロット４０ｆと係合して、前方へ向かうストロークが制限されている。
【００２９】
このとき、スライダー４３の前端の平面４３ｂが鍵孔の幅方向の内面２３よりもやや外側になるように設定されている。
【００３０】
そして、一対のスライダー４３、４３の前端の平面４３ｂ、４３ｂ間の距離は、鍵孔の幅方向の内面２３の寸法よりもやや大きい寸法となるように設定されている。
【００３１】
スライダーの前端に形成された平面４３ｂには斜面４３ａが接続されており、この斜面４３ａは、スプリング４５に外力がかからない常態において、キーガイドカバー４０の角錐状の案内面４０ａと段差なく滑らかに接続されるように形成されている。
【００３２】
上記のように構成されたキーガイドを装着したシリンダー錠の施解錠時、図６に示すように、鍵のステム１１が外方（図において左側）からキーガイドカバー４０の角錐状の案内面４０ａ内に挿入される。
【００３３】
このとき、鍵１０のステム１１の中心がシリンダー錠の中心から外れている場合でも、主に鍵１０の前端部が角錐状の案内面４０ａに接触して強制的に中心方向に案内され、続いてスライダーの斜面４３ａ及び平面４３ｂに案内されて、ステム１１が鍵孔中に誘導される。
【００３４】
前述したように、鍵１０のステム１１の手前側（図１において左側）には、ステム１１の幅１５よりも幅の広いショルダー１１ｂが形成され、その幅は符号１４で示されている。
【００３５】
従って、図６の常態からさらに鍵を鍵孔中に押し進めていくと、ショルダー１１ｂの外縁１３がスライダー４３の斜面４３ａに突当たる。
【００３６】
ここで、鍵を押す手先に力を加えて、スプリング４５の弾力に打ち勝つ外力をスライダーに与えることにより、左右のスライダー４３、４３はガイド溝４０ｃに沿って後退し、鍵１０が鍵孔中に深く挿し込まれ、遂には、図７に示されるようにショルダー１１ｂがシリンダ錠の内筒の外端面２２ａに当接し、鍵の鍵孔への挿入が完了する。
【００３７】
このあとの施解錠操作は、従来のシリンダー錠における操作と同じであるから、説明は省略する。
【００３８】
以上の説明において、キーガイドカバー４０の角錐状案内面４０ａは平面的な斜面からなるものとして画いているが、実際にはこの形状に限定されるものではなく、複数の斜面と連続させた形状でもよく、また、曲面から構成した形状でもよいことは勿論である。
【００３９】
請求項２に記載の発明は、キーガイドカバー４０及びスライダー４３を蓄光性の材料から製作するものであって、部品形状及び構成は前述した請求項１の発明のキーガードと全く同じである。
【００４０】
キーガイドカバー及びスライダーを蓄光性材料で製作することにより、夜間等暗闇のときにも、キーガイドの位置を容易に視認できて施解錠操作が容易になる。
【００４１】
また、請求項３記載の発明は、キーガイドカバーの外端面を蓄光性の材料から成るプレートで覆うか、または、蛍光塗料等、蓄光性の材料から成る塗装を施すことにより、夜間等キーガイドカバーの周辺が暗いとき、円錐状の案内面４０ａの開口をその周りの発光するキーガイドカバーの外端面とは対称的に暗く表示することにより、鍵の挿入を容易にするものである。
【００４２】
なお、この場合、蓄光性の材料の使用量が僅かで済む為、コスト的にも有利になる。
【００４３】
【発明の効果】
以上に説明したこの発明のキーガイドは、従来から使用されているシリンダー錠の外側に、鍵のステムを誘導するためのキーガイドカバーを装着したので、目や手先の動きの不自由な人でも、或は夜暗いときでも、容易に鍵を鍵孔に挿入することができる。
【００４４】
また、このキーガイドは、既設のシリンダー錠にもあとから取付けることができ、新規に取付け直す必要もないという利点がある。
【図面の簡単な説明】
【図１】シリンダ錠の鍵の一般的な構造の平面図。
【図２】この発明のキーガイドを装着したシリンダー錠の縦断面図。
【図３】図２のＩＩＩ−ＩＩＩ線による断面図。
【図４】図３のＩＶ−ＩＶ方向から見たキーガイドカバーの一部断面正面図。
【図５】キーガイド及びスライダーの拡大縦断面図。
【図６】キーガイドに鍵を挿入した途中状態を示す縦断面図。
【図７】鍵孔に鍵を完全に挿入した状態を示す縦断面図。
【符号の説明】
１０  鍵
１１  ステム
１１ａ  尖り部
１１ｂ  ショルダー
１２  摘み
１３  外縁
１４  ショルダーの幅
１５  ステムの幅
２０  シリンダー錠
２１  外筒
２２ａ  外端面
２３  鍵孔内面（幅方向）
２４  鍵孔内面（厚さ方向）
３１  取付け具
３２  化粧リング
４０  キーガイドカバー
４０ａ  案内面（角錐状）
４０ｂ  案内面（角柱状）
４０ｃ  ガイド溝
４１  外側スリーブ
４２  内側スリーブ
４３  スライダー
４３ａ  斜面
４３ｂ  平面
４４  プラグ
４５  スプリング
【図１】
0003957809.tif 000002
【図２】
0003957809.tif 000003
【図３】
0003957809.tif 000004
【図４】
0003957809.tif 000005
【図５】
0003957809.tif 000006
【図６】
0003957809.tif 000007
【図７】
0003957809.tif 000008